(57)【要約】  本発明は、ガス交換弁（１２）を備える機械的に制御可能な動弁装置であって、前記ガス交換弁（１２）には、直接または間接的に伝達アセンブリが作業輪郭（６２；９２）により作用し、前記伝達アセンブリはシリンダヘッド内に支承手段を介して可動に支承されており、前記伝達アセンブリは弁リフト調節装置とカムシャフト（４６）とに作用接続しており、前記弁リフト調節装置は、種々の最大リフトが調節可能であるように、回動可能な調節シャフト（３５）を有している、ガス交換弁（１２）を備える機械的に制御可能な動弁装置に関する。前記伝達アセンブリは、第１の歯車機構（４０）および第２の歯車機構（４２）を有し、第１の歯車機構（４０）は前記カムシャフト（４６）に作用接続しており、前記第２の歯車機構（４２）は直接または間接的に前記ガス交換弁（１２）に作用し、前記第１の歯車機構（４０）および前記第２の歯車機構（４２）は、前記調節シャフト（３５）に回動可能に支承されていて、かつ歯列を有しており、これにより第１および第２の歯車機構（４０，４２）が互いに駆動接続されていて、前記調節シャフト（３５）の回動が前記第１の歯車機構（４０）および前記第２の歯車機構（４２）の間の位相変更を生ぜしめ、回動位置固定が前記第１の歯車機構（４０）および前記第２の歯車機構（４２）の振れ運動を生ぜしめる。
2014508892.tif 000002
【特許請求の範囲】
【請求項１】
ガス交換弁（１２）を備える機械的に制御可能な動弁装置であって、前記ガス交換弁（１２）に、伝達アセンブリが作業輪郭（６２；９２）によって直接または間接的に作用し、前記伝達アセンブリはシリンダヘッド内に支承手段を介して可動に支承されており、前記伝達アセンブリは弁リフト調節装置とカムシャフト（４６）とに作用接続しており、前記弁リフト調節装置は、種々の最大リフトが調節可能であるように、回動可能な調節シャフト（３５）を有している、ガス交換弁（１２）を備える機械的に制御可能な動弁装置において、
前記伝達アセンブリは、第１の歯車機構（４０）および第２の歯車機構（４２）を有し、第１の歯車機構（４０）は前記カムシャフト（４６）に作用接続しており、前記第２の歯車機構（４２）は直接または間接的に前記ガス交換弁（１２）に作用し、前記第１の歯車機構（４０）および前記第２の歯車機構（４２）は、前記調節シャフト（３５）に回動可能に支承され、かつ歯列を有しており、これにより第１および第２の歯車機構（４０，４２）は互いに駆動接続されていて、前記調節シャフト（３５）の回動が前記第１の歯車機構（４０）および前記第２の歯車機構（４２）の間の位相変更を生ぜしめ、回動位置固定が前記第１の歯車機構（４０）および前記第２の歯車機構（４２）の振れ運動を生ぜしめることを特徴とする、機械的に制御可能な動弁装置。
【請求項２】
前記第１の歯車機構（４０）には、ばねエレメント（７０）によって前記カムシャフト（４６）に対してプリロードがかけられている、請求項１記載の機械的に制御可能な動弁装置。
【請求項３】
前記第１の歯車機構（４０）および前記第２の歯車機構（４２）は、互いに向き合った冠歯車として形成されており、前記第１の歯車機構（４０）および前記第２の歯車機構（４２）の前記駆動接続は、少なくとも１つの遊星歯車（５４）を介して形成されており、各遊星歯車（５４）は、前記調節シャフト（３５）に相対回動不能に結合された軸に支承されている、請求項１または２記載の機械的に制御可能な動弁装置。
【請求項４】
前記第１の歯車機構（４０）および前記第２の歯車機構（４２）は、内歯歯車として形成されており、第１の歯車機構（４０）は、前記第２の歯車機構（４２）とは異なる歯数を備える異なる内径を有しており、前記調節シャフト（３５）は、偏心体（８２）を有しており、該偏心体（８２）に第１の円筒歯車（７８）および第２の円筒歯車（８０）が回動可能に支承されており、該第１の円筒歯車（７８）および第２の円筒歯車（８０）は、互いに相対回動不能に連結されていて、かつそれぞれ前記第１の歯車機構（４０）および前記第２の歯車機構（４２）に噛み合っており、これにより前記第１の歯車機構（４０）および前記第２の歯車機構（４２）の前記駆動接続を形成する、請求項１記載の機械的に制御可能な動弁装置。
【請求項５】
前記第１の円筒歯車（７８）および前記第２の円筒歯車（８０）は、一体的に形成されている、請求項４記載の機械的に制御可能な動弁装置。
【請求項６】
前記第２の歯車機構（４２）は、前記第１の歯車機構（４０）の周面に回動可能に支承されている、請求項４または５記載の機械的に制御可能な動弁装置。
【請求項７】
前記第１の歯車機構（４０）は、前記カムシャフト（４６）に対する接触ローラ（４４）を有している、請求項１から６までのいずれか１項記載の機械的に制御可能な動弁装置。
【請求項８】
前記第２の歯車機構（４２）が、前記作業輪郭（６２）を有している、請求項１から７までのいずれか１項記載の機械的に制御可能な動弁装置。
【請求項９】
第２の歯車機構は、前記作業輪郭（９２）を備えた変向機構（９０）に駆動接続されており、該変向機構（９０）は、回動可能かつ同心的に前記カムシャフト（４６）に支承されている、請求項４から７までのいずれか１項記載の機械的に制御可能な動弁装置。
【請求項１０】
スイングアームタイプのロッカアーム（６６）が、前記調節シャフト（３５）に回動可能に支承されている、請求項９記載の機械的に制御可能な動弁装置。
【請求項１１】
複数のシリンダに対応配置されている、列設された複数のガス交換弁を備える機械的に制御可能な動弁装置アセンブリであって、
各シリンダに、請求項１から１０までのいずれか１項記載の機械的に制御可能な動弁装置が対応配置されており、各ガス交換弁に、それぞれ１つの作業輪郭が対応配置されており、該作業輪郭が直接または間接的にガス交換弁に作用することを特徴とする、機械的に制御可能な動弁装置アセンブリ。
【発明の詳細な説明】
【技術分野】
【０００１】
本発明は、ガス交換弁を備えた機械的に制御可能な動弁装置であって、ガス交換弁には直接または間接的に伝達アセンブリが作業輪郭を介して作用し、伝達アセンブリがシリンダヘッド内に支承手段を介して可動に支承されており、伝達アセンブリが弁リフト調節装置とカムシャフトとに作用接続しており、弁リフト調節装置は、種々異なる最大リフトが調節可能であるように、回動可能な調節シャフトを有している、機械的に制御可能な動弁装置に関する。さらに本発明は、多数のシリンダに対応配置された、列設された複数のガス交換弁を備えた機械的に制御可能な動弁装置アセンブリに関する。
【０００２】
このような動弁装置ならびにこのような動弁装置アセンブリは、たとえば欧州特許出願公開第６３８７０６号明細書から公知である。この場合、弁リフトを閉ループ制御もしくは開ループ制御するために、シリンダヘッド内に回動可能に支承された偏心シャフトが設けられている。この偏心シャフトは、弁リフトが簡単にゼロ〜最大の間で調節され得るように、伝達アセンブリに作用する。この手段により、燃焼プロセスが良好に内燃機関のそれぞれの運転状態に適合され得る。さらに、ドイツ連邦共和国特許出願公開第１０２００４００３３２４号明細書から公知の動弁装置アセンブリでは、調節機構が設けられている。この調節機構は、個別のシリンダを特定の運転状態のために休止させることを目的として、互いに独立して調節され得る。さらに、欧州特許出願公開第１７６０２７８号明細書から公知の動弁装置は、偏心機構を有していて、偏心機構は特に部分リフトおよび完全リフトのための種々の曲線形状を有している。この場合、ゼロリフトの曲線形状も、調節機構により同様に実現される。
【０００３】
しかし、これらの公知の動弁装置／動弁装置アセンブリは、弁リフトの調節が、伝達アセンブリの中間レバーの並進運動および回転運動を介して実施されるという欠点を有している。これによって、狭い製造公差および組み立て公差に関連して、中間レバーの極めて複雑なガイドも使用されなければならない。全般的にこれにより伝達アセンブリの高価で検査の困難な全体構造が生じる。
【０００４】
したがって本発明の課題は、上述の欠点を阻止する動弁装置もしくは動弁装置アセンブリを提供することである。
【０００５】
この課題を解決した本発明による構成では、伝達アセンブリが、第１の歯車機構および第２の歯車機構を有しており、第１の歯車機構がカムシャフトに作用接続しており、第２の歯車機構は、直接的または間接的にガス交換弁に作用し、両歯車機構は、調節シャフトに回動可能に支承され、かつ歯列を有しており、これにより第１の歯車機構および第２の歯車機構が互いに駆動接続されていて、調節シャフトの回転が第１の歯車機構および第２の歯車機構の位相変更を生ぜしめ、調節シャフトの回動位置固定が第１の歯車機構および第２の歯車機構の振れ運動を生ぜしめる。これによって、弁リフト調節を保証するために、単に回転運動しか必要としないように設計されている機械的な動弁装置が提供される。これによって、伝達アセンブリの著しく単純な支承が可能であり、摩耗発生をほぼ最小限にすることができた。
【０００６】
特に有利な態様は、第１の歯車機構にばねエレメントによってカムシャフトに向かってプリロードがかけられていることによって得られる。これにより、調節シャフトが両方向に駆動され得ることも可能である。歯列における遊びも補償することができる。
【０００７】
特に有利な本発明による第１の態様は、第１の歯車機構および第２の歯車機構が、互いに向き合った冠歯車（クラウンギア）として形成されており、第１歯車機構および第２の歯車機構の駆動接続が少なくとも１つの遊星歯車を介して形成されていて、各遊星歯車は、調節シャフトに相対回動不能に結合された軸に支承されている。この態様は、冠歯車伝動装置として形成された遊星歯車伝動装置である。
【０００８】
特に有利な本発明による第２の態様は、第１歯車機構および第２の歯車機構が内歯歯車として形成されており、第１の歯車機構は、第２の歯車機構とは異なる歯数を有する異なる内径を有しており、調節シャフトが偏心体を有しており、該偏心体に第１の円筒歯車および第２の円筒歯車が回動可能に支承されていて、第１の円筒歯車および第２の円筒歯車が相対回動不能に互いに連結されていて、かつ第１の歯車機構および第２の歯車機構にそれぞれ噛み合っており、これにより第１歯車機構および第２の歯車機構の駆動接続を形成していることにより優れている。このような態様では、簡単な形式で、第１の歯車機構および第２の歯車機構の間の歯数差が比較的小さな態様の場合に、第１の歯車機構および第２の歯車機構の間の位相変更に対する調節シャフトの高い減速比が形成され得る。この高い内部の減速比は、一方では調節シャフトを駆動するために小さなアクチュエータ力しか必要とせず、他方ではガス交換弁の最大の弁リフトの極めて正確な調節を可能にする。この場合、第１の円筒歯車および第２の円筒歯車が一体的に、つまり一部分から実施されていると、組立ておよび製造技術的に極めて有利である。特にコンパクトに形成された機械的に制御可能な動弁装置は、第２の歯車機構が第１の歯車機構の周面に回動可能に支承されていることにより提供される。
【０００９】
有利には、第１の歯車機構はカムシャフトに対する接触ローラを有しているので、第１の歯車機構は連続的に回転するカムシャフトによって調節シャフトの軸線を中心とする振れ運動をさせられる。第２の歯車機構は有利には作業輪郭を有するように形成されていてよい。
【００１０】
特に有利な本発明による第３の態様では、第２の歯車機構が、作業輪郭を有する変位機構に駆動接続されており、変位機構は回動可能にかつ同心的にカムシャフトに支承されている。この場合、組立ておよび製造技術的に特に有利には、ロッカアームが調節シャフトに回動可能に支承されている。これによって、伝動アセンブリおよびロッカアームから成る前検査可能な、容易に組み立てられ得るユニットが提供され得る。
【００１１】
本発明の課題は、同様に、各シリンダに、請求項１から１０までのいずれか１項に記載の機械的に制御可能な動弁装置が対応配置されている、機械的に制御可能な動弁アセンブリによっても解決される。この場合、各ガス交換弁に、それぞれ１つの作業輪郭が対応配置されていて、該作業輪郭は、直接または間接的にガス交換弁に作用する。
【００１２】
本発明を以下に図面につき詳しく説明する。
【図面の簡単な説明】
【００１３】
【図１】本発明による動弁装置アセンブリの断面図である。
【図２ａ】本発明による動弁装置の第１の実施の形態を示す長手方向の断面図である。
【図２ｂ】本発明による動弁装置の第１の実施の形態を示す横方向の断面図である。
【図３ａ】本発明による動弁装置の第２の実施の形態を示す長手方向の断面図である。
【図３ｂ】本発明による動弁装置の第２の実施の形態を示す横方向の断面図である。
【図４ａ】本発明による動弁装置の第３の実施の形態を示す長手方向の断面図である。
【図４ｂ】本発明による動弁装置の第３の実施の形態を示す横方向の断面図である。
【図４ｃ】本発明による動弁装置の第３の実施の形態を示す別の横方向の断面図である。
【図４ｄ】本発明による動弁装置の第３の実施の形態を示すさらに別の横方向の断面図である。
【００１４】
図１は、列設された複数のガス交換弁１２，１４，１６，１８，２０および２２を備えた本発明による動弁装置アセンブリ１０の実施の形態を示している。これに関して、スイングアームタイプのロッカアーム（Schlepphebel）６６と、各ガス交換弁１２，１４，１６，１８，２０，２２の弁ステムの横断面とが図示されている。これらのガス交換弁１２，１４，１６，１８，２０，２２は、自体公知の形式でシリンダ１３，１５および１７内に配置されている。この場合、それぞれ２つの吸気ガス交換弁が内燃機関の１つのシリンダに対応配置されている。機械的に制御可能な動弁装置アセンブリ１０は、この場合、３つの伝達アセンブリ２８，３０，３２および３４を有している。これらの伝達アセンブリ２８，３０，３２には、それぞれ２つのガス交換弁１２，１４；１６，１８；２０，２２が対応配置されている。この場合、１つの調節シャフト３５に設けられたこれらの伝達アセンブリ２８，３０，３２は、シリンダヘッド内で支承手段３６により支承されている。支承手段３６は、図１では例示的に調節シャフト３５の支承部のためだけに図示されている。
【００１５】
以下でより詳しく説明するように、各伝達アセンブリは、第１の歯車機構４０および第２の歯車機構４２を有している。この場合、第１の歯車機構４０は、接触ローラ４４を介してカムシャフト４６に作用接続している。両歯車機構４０，４２は、調節シャフト３５に回動可能に支承されており、調節シャフト３５の回動が第１および第２の歯車機構４０，４２の間の位相変更を生ぜしめ、かつ調節シャフト３５の回動位置固定（回転に関する位置固定）が第１の歯車機構４０および第２の歯車機構４０の同じ方向の振れ運動（正転・逆転方向への回動）を生ぜしめるように、互いに駆動接続されている。
【００１６】
調節シャフト３５は、本実施の形態では、駆動機構４８によって公知の形式で駆動可能である。駆動機構４８として、正転方向にも逆転方向にも運動することができる回転駆動装置が使用される。したがって、調節シャフト３５は、現在の位置に応じて迅速かつ正確に、次の運転状態に対応する弁リフトが選択されるように、駆動され得る。したがって、＞３６０°の回転角度も実現可能である。
【００１７】
図２ａは、機械的に制御可能な動弁装置の第１の実施の形態を長手方向の断面で示している。見易くするために、ここでは１つのガス交換弁１２に作用する１つの動弁装置しか示していない。調節シャフト３５は、回動可能にシリンダヘッド内に支承されていて、図１に示した駆動機構４８によって回動され得る。調節シャフト３５には、まず第１の歯車機構４０が回動可能に支承されている。第１の歯車機構４０は、固定の軸５０を介して、自由に回動可能な、カムシャフト４６に対する接触ローラ４４を収容している。さらに、第１の歯車機構４０は、冠歯車（クラウンギア）として形成されている。冠歯車の歯列は、第２の歯車機構４２に向けられている。第１の歯車機構４０は、複数の、有利には３つの遊星歯車５４に噛み合う。３つの遊星歯車５４のうち、本実施の形態では２つの遊星歯車が図示されており、これらの遊星歯車はそれぞれ、調節シャフト３５に相対回動不能に結合された軸５６に支承されている。これらの遊星歯車５４は、その歯列５８を介して、同様に冠歯車として形成された第２の歯車機構４２の歯列６０に噛み合う。図２ｂから判るように、第２の歯車機構４２は、作業輪郭６２を有している。この作業輪郭６２は、ロッカアーム６６のローラ６４に作用するように接続している。
【００１８】
第１の実施の形態の機能形式は以下の通りである。調節シャフト３５が回動位置固定されている場合、連続的に回転するカムシャフト４６は、カム６８を介して、第１の歯車機構４０に、調節シャフト３５を中心とした振れ運動をさせる。これによって、遊星歯車５４も振れ運動させられて、これにより最終的には、第２の歯車機構４２の、第１の歯車機構４０に対して反対の方向の振れ運動が行われる。これにより、公知の形式でガス交換弁１２が作業輪郭６２を介して開放され、かつ再び閉じられる。
【００１９】
ガス交換弁１２の最大リフトが変更される場合、駆動機構４８によって調節シャフト３５の回動が行われる。この回動により、遊星歯車５４の固定の軸５６が、調節シャフト３５の回転方向へと運動させられる。これにより、第１の歯車機構４０および第２の歯車機構４２の間の位相関係が変更され、相応してロッカアーム６６のローラ６４は開放および閉鎖運動の間に作業輪郭６２の別の区分に接触する。
【００２０】
図２ｂは、本発明による第１の実施の形態を横断面で示している。図２ｂでは、ガス交換弁１２が閉じられた状態で図示されている。ばねエレメント７０を介して、第１の歯車機構４０には、カムシャフト４６に向かってプリロードがかけられている。第１の歯車機構４０と遊星歯車５４との間の変速比ならびに遊星歯車５４と第２の歯車機構４２との間の変速比は、同一である必要はない。１：１ではない変速比も、特定の使用事例においては有利であり得る。
【００２１】
図３ａは、本発明の第２の実施の形態の長手方向の断面図を示している。この場合も、第１および第２の歯車機構４０，４２は、調節シャフト３５に回動可能に支承されている。この場合、第１の歯車機構４０は、第１の実施の形態におけるのと同様に、固定の軸５０を介して、自由に回動可能な、カムシャフト４６に対する接触ローラ４４を収容している。第２の歯車機構４２は、図３ｂに示されているように、作業輪郭６２を有していてよい。この場合、第２の歯車機構４２は、作業輪郭６２が第２の歯車機構４２の付設部材７２に位置決めされているように、形成されている。
【００２２】
この実施の形態では内歯歯車７４，７６として形成されている第１および第２の歯車機構４０，４２の間の駆動接続は、この第２の実施の形態では、第１の円筒歯車７８および第２の円筒歯車８０により形成されている。偏心体８２に設けられたこれらの円筒歯車７８，８０は、回動可能に配置されている。偏心体８２は、公知の形式で調節シャフト３５に形成されている。有利には、第１の円筒歯車７８および第２の円筒歯車８０は、一体的に、つまり一部分から形成されている。第１歯車機構４０および第２の歯車機構４２の間の位相変更を生ぜしめるために、第１の歯車機構４０と第２の歯車機構４２ならびにこれに所属する第１の円筒歯車７８と第２の円筒歯車８０とは、互いに異なる歯数を有している。本実施の形態では、第１の歯車機構４０および所属する第１の円筒歯車７８は、第２の歯車機構４２および所属する第２の円筒歯車８０よりも小さな直径を有し、ひいてはより少ない歯数を有している。これによって、調節シャフト３５の回転と、両歯車機構４０，４２の間の意図的な位相変更との間で高い減速比が実現される。調節シャフト３５の支承部３６に支持されている皿ばね８４を介して、かつ一方では第１の歯車機構４０と第１の円筒歯車７８との間の歯車結合部の、他方では第２の歯車機構４２と第２の円筒歯車８０との間の歯車結合の同じ方向の、滑りを生じる転位（Profilverschiebung）を介して、全体的な駆動接続にプリロードがかけられ、バックラッシュを減じることができる。
【００２３】
図３ｂは、本実施の形態において、事前設定された最大の弁リフトで開かれた状態のガス交換弁１２を示している。
【００２４】
第２の実施の形態の機能形式は、以下の通りである。操作すべきガス交換弁１２の事前設定された最大リフトを形成するために、調節シャフト３５は回動に関して位置固定されている。連続的に回転するカムシャフト４６は、その駆動カム６８によって、第１の歯車機構４０に、調節シャフト３５を中心とした振れ運動をさせる。第１の歯車機構４０と第２の歯車機構４２との駆動接続を介して、第２の歯車機構４２も同じ方向の振れ運動をさせられる。第２の歯車機構４２の付設部材７２の作業輪郭６２を介して、この振れ運動はロッカアーム６６のローラ６４に伝達され、ひいてはガス交換弁１２が公知の形式で事前設定された最大リフトで開放または閉鎖される。
【００２５】
ガス交換弁１２の最大リフトを変更する場合、本実施の形態でも駆動機構４８によって調節シャフト３５の回動が行われる。この回動により、偏心体８２の位置も変更されて、第１の円筒歯車７８および第２の円筒歯車８０は同じ方向に回動される。歯車対、つまり「第１の歯車機構４０−第１の円筒歯車７８」および「第２の歯車機構４２−第２の円筒歯車８０」の互いに異なる大きさおよび歯数に基づいて、第１の歯車機構４０と第２の歯車機構４２との間の位相変更が行われる。相応して、第２の歯車機構４２の付設部材７２も、所望の角度だけ回動されるので、ロッカアーム６６のローラ６４は開放および閉鎖運動中に、第２の歯車機構４２の付設部材に設けられた作業輪郭６２の別の区分に接触する。
【００２６】
図４ａは、本発明の第３の実施の形態の長手方向の断面を示している。伝達アセンブリ全体が、単に２つの軸３５，４６の周りに支承され得るので、この形態は特にコンパクトな解決手段である。特別な利点は、固定の最大リフトを有する動弁装置に対するカムシャフトの位置が変更される必要がないことである。全構成部材が両軸３５，４６に支承されるので、このユニットは前検査可能なユニットとして簡単かつ廉価に組み立てることができる。
【００２７】
図３ａおよび図３ｂに示した実施の形態と同様に、調節シャフト３５に回動可能に配置された第１の歯車機構４０および第２の歯車機構４２が設けられている。第１の歯車機構４０および第２の歯車機構４２は、互いに異なる大きさおよび歯数を有する内歯歯車７４，７６として形成されている。これらの歯車機構４０，４２は、２つの円筒歯車７８，８０を介して互いに駆動接続されている。これらの円筒歯車７８，８０は、第２の実施の形態におけるのと同様に、調節シャフト３５に設けられた偏心体８２に回動可能に支承されており、噛み合う内歯歯車７４，７６に相応して互いに異なる大きさおよび歯数を有している。
【００２８】
第１の歯車機構４０は、同様に固定された軸５０を有している（図４ｂを参照）。この軸５０に、駆動カム６８に対する接触ローラ４４が回転可能に支承されている。駆動カム６８は、本実施の形態では上述の実施の形態とは異なる形状を有している。
【００２９】
第２の歯車機構４２は、さらに外側歯列８６を有している。この外側歯列８６は、変位機構９０の外側歯列８８に作用接続している。変位機構９０は、やはり回動可能にカムシャフト４６に支承されている（図４ｃを参照）。変位機構９０は、本実施の形態では、１つの作業輪郭を描く２つの変位カム９２を有している。これらの変位カム９２は、ガス交換弁１２のロッカアーム６６のローラ６４に公知の形式で作用する。ロッカアーム６６自体は、調節シャフト３５に回動可能に支承されている（図４ｄを参照）。
【００３０】
カムシャフト４６の支承部３６にかつ変位機構９０に軸方向で支持されている皿ばね８４を介して、かつ変位機構９０の外側歯列８８と第２の歯車機構４２の外側歯列８６との間の歯車結合部の、第２の歯車機構４２と第２の円筒歯車８０との間の歯車結合部の、ならびに第１の歯車機構４０と第１の円筒歯車７８との間の歯車結合部の同じ方向の、滑りを生じる転位を介して、駆動接続部全体にプリロードがかけられ、バックラッシュを減じることができる。
【００３１】
第３の実施の形態の機能形式は、以下の通りである。操作すべきガス交換弁１２の最大リフトが事前設定されている場合、調節シャフト３５は回動に関して位置固定されている。連続的に回転するカムシャフト４６は、その駆動カム６８によって、第１の歯車機構４０に調節シャフト３５を中心とした振れ運動をさせる。第１の歯車機構４０と第２の歯車機構４２との間の駆動接続を介して、第２の歯車機構４２も同じ方向に向けられた振れ運動をさせられる。第２の歯車機構４２の外側歯列８６を介して、この振れ運動は変位機構９０の反対の方向の振れ運動に転換される。ロッカアーム６６に作用する変位カム９２により、ガス交換弁１２は公知の形式で事前設定された最大リフトで開放され、かつ閉鎖される。
【００３２】
ガス交換弁１２の最大リフトが変更される場合、本実施の形態では駆動機構４８によって調節シャフト３５の回動が行われる。この回動により、偏心体８２の位置が変更され、ひいては第１の円筒歯車７８および第２の円筒歯車８０は同じ方向に回動する。歯車対、つまり「第１の歯車機構４０−第１の円筒歯車７８」および「第２の歯車機構４２−第２の円筒歯車８０」の大きさおよび歯数が互いに異なることに基づいて、第１の歯車機構４０と第２の歯車機構４２との間の位相変更が行われる。相応して、変位機構９０は、所望の角度だけ回動し、これにより、ロッカアーム６６のローラ６４は開放運動および閉鎖運動中に、変位カム９２の別の区分に接触する。
【００３３】
図４に示した実施の形態の特別な利点は、第２の歯車機構４２の外側歯列８６と変位機構９０の外側歯列８８との間の変速比に基づいて、変向機構９０の振れ運動が、第１の歯車機構４０により設定されているよりも大きな角度領域に亘っていることにより得られる。これによって、変向カム９２の作業輪郭における有利な力状態が生じる。
【００３４】
上述の全ての実施の形態は、変向機構が単に小さな旋回角度を有する振れ運動を実施するように形成され得る。この場合、ゼロリフトと全リフトとの間の範囲で最大の弁リフトを変更するために、変向機構の全周の一部だけが使用される。円周の残りの部分にさらに別の作業輪郭を設けることも可能である。この輪郭は、たとえば、シリンダの個別のガス交換弁を意図的に休止させるために使用することができ、これにより、正確な量制御を保証し、シリンダにおける要求に応じた給気運動を作動させることができ、またはシリンダの全ての弁を休止させ、これにより気筒休止を生ぜしめることができる。
【図１】
2014508892.tif 000003
【図２ａ−２ｂ】
2014508892.tif 000004
【図３ａ】
2014508892.tif 000005
【図３ｂ】
2014508892.tif 000006
【図４ａ】
2014508892.tif 000007
【図４ｂ】
2014508892.tif 000008
【図４ｃ】
2014508892.tif 000009
【図４ｄ】
2014508892.tif 000010
【手続補正書】
【提出日】平成25年12月12日(2013.12.12)
【手続補正１】
【補正対象書類名】図面
【補正対象項目名】図２ａ
【補正方法】変更
【補正の内容】
【図２ａ】
2014508892.tif 000011
【手続補正２】
【補正対象書類名】図面
【補正対象項目名】図２ｂ
【補正方法】変更
【補正の内容】
【図２ｂ】
2014508892.tif 000012
【手続補正３】
【補正対象書類名】図面
【補正対象項目名】図３ａ
【補正方法】変更
【補正の内容】
【図３ａ】
2014508892.tif 000013
【国際調査報告】
2014508892.tif 000014
2014508892.tif 000015
2014508892.tif 000016
2014508892.tif 000017
2014508892.tif 000018
2014508892.tif 000019